【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
放送コンテンツを表示部に表示可能な放送コンテンツ処理装置であって、
前記放送コンテンツに含まれるデータを解析し、当該データ中に存在する用語を抽出する抽出手段と、
前記抽出手段で抽出した用語の説明データを前記表示部に表示するために、ユーザによる説明表示の要求を受け付ける表示要求手段と、
前記表示要求手段に応じて、前記抽出手段で抽出された用語を前記表示部に表示すると共に、ユーザによる用語の選択を受け付ける選択手段と、
前記選択手段を介して選択された用語の説明データを取得する取得手段と、
前記取得手段で取得した説明データに基づいて、前記選択手段で選択された用語の説明を前記表示部に表示する説明表示手段と、
前記放送コンテンツを記憶可能な記憶部に放送コンテンツを記憶させる記憶手段と、
前記表示要求手段による説明表示の要求に応じて、前記放送コンテンツを前記記憶部に記憶するよう、前記記憶手段を制御する制御手段と、
を有することを特徴とする放送コンテンツ処理装置。
【請求項２】
用語の説明データを記憶する辞書部を有し、
前記取得手段は、前記選択手段を介して選択された用語を前記辞書部から検索し、当該辞書部に含まれる説明データを取得する、
ことを特徴とする請求項１に記載の放送コンテンツ処理装置。
【請求項３】
外部の検索エンジンと通信可能な通信手段を有し、
前記取得手段は、前記選択手段を介して選択された用語が前記辞書部に登録されていない場合、前記通信手段を介して前記検索エンジンから前記用語の説明データを取得する、ことを特徴とする請求項２に記載の放送コンテンツ処理装置。
【請求項４】
前記抽出手段は、前記放送コンテンツに含まれる音声データを解析し、当該音声データに含まれる用語を抽出する、
ことを特徴とする請求項１乃至３のいずれか１項に記載の放送コンテンツ処理装置。
【請求項５】
放送コンテンツを表示部に表示可能な放送コンテンツ処理装置の制御方法であって、
前記放送コンテンツに含まれるデータを解析し、当該データ中に存在する用語を抽出する抽出ステップと、
前記抽出ステップで抽出した用語の説明データを前記表示部に表示するために、ユーザによる説明表示の要求を受け付ける表示要求ステップと、
前記表示要求ステップで受け付けた要求に応じて、前記抽出ステップで抽出された用語を前記表示部に表示すると共に、ユーザによる用語の選択を受け付ける選択ステップと、
前記選択ステップで選択された用語の説明データを取得する取得ステップと、
前記取得ステップで取得した説明データに基づいて、前記選択ステップで選択された用語の説明を前記表示部に表示する説明表示ステップと、
前記放送コンテンツを記憶可能な記憶部に放送コンテンツを記憶させる記憶ステップと、
前記表示要求ステップで受け付けた説明表示の要求に応じて、前記放送コンテンツを前記記憶部に記憶するよう、前記記憶ステップを制御する制御ステップと、
を有することを特徴とする放送コンテンツ処理装置の制御方法。
【請求項６】
前記放送コンテンツ処理装置は用語の説明データを記憶する辞書部を有し、
前記取得ステップでは、前記選択ステップで選択された用語を前記辞書部から検索し、当該辞書部に含まれる説明データを取得する、
ことを特徴とする請求項５に記載の放送コンテンツ処理装置の制御方法。
【請求項７】
前記放送コンテンツ処理装置は外部の検索エンジンと通信可能な通信部を有し、
前記取得ステップでは、前記選択ステップで選択された用語が前記辞書部に登録されていない場合、前記通信部を介して前記検索エンジンから前記用語の説明データを取得する、
ことを特徴とする請求項６に記載の放送コンテンツ処理装置の制御方法。
【請求項８】
前記抽出ステップでは、前記放送コンテンツに含まれる音声データを解析し、当該音声データに含まれる用語を抽出する、
ことを特徴とする請求項５乃至７のいずれか１項に記載の放送コンテンツ処理装置の制御方法。
【手続補正２】
【補正対象書類名】明細書
【補正対象項目名】発明の名称
【補正方法】変更
【補正の内容】
【発明の名称】放送コンテンツ処理装置及びその制御方法
【手続補正３】
【補正対象書類名】明細書
【補正対象項目名】０００６
【補正方法】変更
【補正の内容】
【０００６】
本発明は上記目的を達成するため、前記放送コンテンツに含まれるデータを解析し、当該データ中に存在する用語を抽出する抽出手段と、前記抽出手段で抽出した用語の説明データを前記表示部に表示するために、ユーザによる説明表示の要求を受け付ける表示要求手段と、前記表示要求手段に応じて、前記抽出手段で抽出された用語を前記表示部に表示すると共に、ユーザによる用語の選択を受け付ける選択手段と、前記選択手段を介して選
択された用語の説明データを取得する取得手段と、前記取得手段で取得した説明データに基づいて、前記選択手段で選択された用語の説明を前記表示部に表示する説明表示手段と、前記放送コンテンツを記憶可能な記憶部に放送コンテンツを記憶させる記憶手段と、前記表示要求手段による説明表示の要求に応じて、前記放送コンテンツを前記記憶部に記憶するよう、前記記憶手段を制御する制御手段と、を有することを特徴とする。
【手続補正４】
【補正対象書類名】明細書
【補正対象項目名】０００７
【補正方法】変更
【補正の内容】
【０００７】
本発明の放送コンテンツ処理装置の制御方法は、前記放送コンテンツに含まれるデータを解析し、当該データ中に存在する用語を抽出する抽出ステップと、前記抽出ステップで抽出した用語の説明データを前記表示部に表示するために、ユーザによる説明表示の要求を受け付ける表示要求ステップと、前記表示要求ステップで受け付けた要求に応じて、前記抽出ステップで抽出された用語を前記表示部に表示すると共に、ユーザによる用語の選択を受け付ける選択ステップと、前記選択ステップで選択された用語の説明データを取得する取得ステップと、前記取得ステップで取得した説明データに基づいて、前記選択ステップで選択された用語の説明を前記表示部に表示する説明表示ステップと、前記放送コンテンツを記憶可能な記憶部に放送コンテンツを記憶させる記憶ステップと、前記表示要求ステップで受け付けた説明表示の要求に応じて、前記放送コンテンツを前記記憶部に記憶するよう、前記記憶ステップを制御する制御ステップと、を有することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】００１３
【補正方法】変更
【補正の内容】
【００１３】
なお、セレクタ２０１は多重分離部１０５と接続され、セレクタ２０４はＭＰＥＧデコード部１０７と接続され、用語抽出部２０５と用語選択部２０６は画像重畳部１０８と接続され、用語説明取得部２０７は通信部１１２を介してインターネット１１３と接続されている。
【手続補正７】
【補正対象書類名】明細書
【補正対象項目名】００２４
【補正方法】変更
【補正の内容】
【００２４】
ステップ３０５において、用語説明取得部２０７は、説明データを取得するために用語辞書部２０８に検索対象である用語が登録されているかを検索する。
【手続補正８】
【補正対象書類名】明細書
【補正対象項目名】００２５
【補正方法】変更
【補正の内容】
【００２５】
ステップ３０６において、検索対象である用語が登録されているとき（検索が成功）、ステップ３０７に進む。ステップ３０７において、用語説明取得部２０７は、取得した説明データを用語辞書部２０８から用語選択部２０６を介して画像重畳部１０８に転送する。表示部１０９は検索対象である用語と取得した説明データを表示する。
【手続補正９】
【補正対象書類名】明細書
【補正対象項目名】００３０
【補正方法】変更
【補正の内容】
【００３０】
また、用語辞書部２０８に含まれる説明データは説明文のほか、静止画、動画、音声を含むマルチメディアデータであってもよい。説明データのデータ形式の例として、ＸＭＬ（ｅＸｔｅｎｓｉｂｌｅ Ｍａｒｋｕｐ Ｌａｎｇｕａｇｅ）フォーマットが利用できる。